(57)【要約】【課題】あらゆる種別の通信端末がポリシー制御の対象となるような通信システムにおいて、最適なリソース割り当てや柔軟な通信設備運用とサービス提供を可能とする。【解決手段】複数の種別の異なる通信端末と、固定または無線アクセス網を介して通信端末とパケットデータネットワークを接続するゲートウェイと、ゲートウェイおよびパケットデータネットワークと接続され、通信端末の通信のポリシー制御を行う複数のポリシー制御装置を備える通信システムであって、通信端末が、新規接続時のシグナリングに通信端末種別情報を含めてゲートウェイに送信するようにし、ゲートウェイは、通信端末のポリシー制御を行うポリシー制御装置を選択し、選択されたポリシー制御装置は、新規接続時のシグナリングに含まれている端末種別情報に基づき通信端末とパケットデータネットワークとの通信のポリシー情報を決定する。【選択図】  図２
2014204298.tif 000002
【特許請求の範囲】
【請求項１】
複数の種別の異なる通信端末と、固定または無線アクセス網を介して前記通信端末とパケットデータネットワークを接続するゲートウェイを有する通信システムであって、
前記ゲートウェイおよびパケットデータネットワークと接続され、前記通信端末とパケットデータネットワークとの通信のポリシー制御を行う複数のポリシー制御装置をさらに備え、
前記通信端末は、新規接続時のシグナリングに通信端末種別情報を含めてゲートウェイに送信し、
前記ゲートウェイは、通信端末種別とポリシー制御装置を対応付けたポリシー制御装置選択テーブルに基づき、前記通信端末のポリシー制御を行うポリシー制御装置を選択して選択したポリシー制御装置に対し新規接続時のシグナリングを送信し、
前記選択されたポリシー制御装置は、前記新規接続時のシグナリングに含まれている端末種別情報に基づき該通信端末とパケットデータネットワークとの通信のポリシー情報を決定することを特徴とする通信システム。
【請求項２】
請求項1に記載の通信システムであって、
前記ポリシー制御装置選択テーブルには、端末種別に対応づけて、ポリシー制御をポリシー制御装置が保持するポリシー情報に基づき行うかまたはゲートウェイが保持するポリシー情報に基づき行うかの情報、およびポリシー制御をポリシー制御装置が保持するポリシー情報に基づき行う場合には接続先の一つ以上のポリシー制御装置の情報が格納され、ゲートウェイは、前記新規接続時のシグナリングに含まれる端末種別情報に基づき、ポリシー制御装置でポリシー制御を行うか、ゲートウェイがポリシー制御を行うかを判定することを特徴とする通信システム。
【請求項３】
前記ゲートウェイは、ポリシー制御装置選択テーブルに加え、端末種別情報とサービス品質の識別子を対応づけた第１のポリシー管理テーブルと、該サービス品質識別子とサービス品質情報と対応づけた第１のサービス品質管理テーブルを有し、
前記ポリシー制御装置は、端末種別情報とサービス品質の識別子を対応づけた第２のポリシー管理テーブルと、該サービス品質識別子とサービス品質情報と対応づけた第２のサービス品質管理テーブルを有し、ゲートウェイの判定に基づき、端末種別情報に応じて、ポリシー制御装置またはゲートウェイにおいて、ポリシー制御を行うことを特徴とする請求項２に記載の通信システム。
【請求項４】
前記第１、第２のポリシー管理テーブルには、課金情報も含まれることを特徴とする請求項３に記載の通信システム。
【請求項５】
複数の種別の異なる通信端末と、固定または無線アクセス網を介して前記通信端末とパケットデータネットワークを接続するゲートウェイと、前記ゲートウェイおよびパケットデータネットワークと接続され、前記通信端末とパケットデータネットワークとの通信のポリシー制御を行う複数のポリシー制御装置をさらに備える通信システムにおける前記ゲートウェイであって、
前記通信端末から、通信端末種別情報を含む新規接続時のシグナリングを受信すると、通信端末種別とポリシー制御装置を対応付けたポリシー制御装置選択テーブルに基づき、前記通信端末のポリシー制御を行うポリシー制御装置を選択して選択したポリシー制御装置に対し新規接続時のシグナリングを送信することを特徴とするゲートウェイ。
【請求項６】
請求項５に記載のゲートウェイであって、
前記ポリシー制御装置選択テーブルには、端末種別に対応づけて、ポリシー制御をポリシー制御装置が保持するポリシー情報に基づき行うかまたはゲートウェイが保持するポリシー情報に基づき行うかの情報、およびポリシー制御をポリシー制御装置が保持するポリシー情報に基づき行う場合には接続先の一つ以上のポリシー制御装置の情報が格納され、  前記新規接続時のシグナリングに含まれる端末種別情報に基づき、ポリシー制御装置でポリシー制御を行うか、ゲートウェイがポリシー制御を行うかを判定することを特徴とするゲートウェイ。
【請求項７】
ポリシー制御装置選択テーブルに加え、端末種別情報とサービス品質の識別子を対応づけたポリシー管理テーブルと、該サービス品質識別子とサービス品質情報と対応づけたサービス品質管理テーブルを有し、端末種別情報に応じて、ポリシー制御を行うことを特徴とする請求項６に記載のゲートウェイ。
【請求項８】
前記ポリシー管理テーブルには、課金情報も含まれることを特徴とする請求項７に記載のゲートウェイ。
【請求項９】
複数の種別の異なる通信端末と、固定または無線アクセス網を介して前記通信端末とパケットデータネットワークを接続するゲートウェイと、前記ゲートウェイおよびパケットデータネットワークと接続され、前記通信端末とパケットデータネットワークとの通信のポリシー制御を行う複数のポリシー制御装置をさらに備える通信システムにおける前記ポリシー制御装置であって、
前記ゲートウェイから、通信端末が送信した、端末種別情報を含む新規接続時のシグナリングを受信し、前記新規接続時のシグナリングに含まれている端末種別情報に基づき該通信端末とパケットデータネットワークとの通信のポリシー情報を決定することを特徴とするポリシー制御装置。
【請求項１０】
端末種別情報とサービス品質の識別子を対応づけたポリシー管理テーブルと、該サービス品質識別子とサービス品質情報と対応づけたサービス品質管理テーブルを有し、端末種別情報に応じて、ポリシー制御を行うことを特徴とする請求項９に記載のポリシー制御装置。
【請求項１１】
前記ポリシー管理テーブルには、課金情報も含まれることを特徴とする請求項１０に記載のポリシー制御装置。
【発明の詳細な説明】
【技術分野】
【０００１】
本発明は、通信システムにおけるポリシー制御技術に関するものである。
【背景技術】
【０００２】
３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）で規定される無線系ネットワークにおけるポリシー制御（ポリシー
ーは、サービス品質（ＱｏＳ：Ｑｕａｌｉｔｙ  ｏｆ  Ｓｅｒｖｉｃｅ）ポリシー、セキュリティポリシー、課金ポリシー、サービスポリシーの少なくとも１つを含むもの）のフレームワークでは、無線端末が接続する外部ＩＰネットワークであるＰＤＮ（Ｐａｃｋｅｔ Ｄａｔａ Ｎｅｔｗｏｒｋ）単位、あるいは無線端末に提供/無線端末が要求するサービス単位に、ゲートウェイがポリシー制御装置に接続するか否かの判定を行う。ゲートウェイがポリシー制御装置に接続すると判定した場合には、ゲートウェイが接続するポリシー制御装置選択し、ゲートウェイまたはポリシー制御装置がポリシーを決定する。また、下記文献に記載されたように、ゲートウェイまたはポリシー制御装置がアクセスネットワークの種別に基づきポリシーを決定することも可能である。
【０００３】
一方ＢＢＦ（ＢｒｏａｄＢａｎｄ Ｆｏｒｕｍ）で規定される固定系ネットワークにおいてもポリシー制御のフレームワークが存在する。そこで無線系ネットワークと固定系ネットワークの両方を持つオペレータのＣＡＰＥＸ（Ｃａｐｉｔａｌ  Ｅｘｐｅｎｄｉｔｕｒｅ）とＯＰＥＸ（Ｏｐｅｒａｔｉｎｇ  Ｅｘｐｅｎｓｅ）の削減のために、３ＧＰＰとＢＢＦ  において３ＧＰＰのポリシー制御フレームワークに基づいてポリシー制御フレームワークの統合（３ＧＰＰ網に集約）に向けた議論が行われている。
【０００４】
３ＧＰＰのポリシー制御については、非特許文献１に、想定アーキテクチャおよび想定シナリオの検討、インタフェースの検討状況が記載されている。しかし、非特許文献１には、具体的なポリシー制御方法については、これまでの３ＧＰＰのポリシー制御を基本とする旨以外は、記載されていない。
【先行技術文献】
【非特許文献】
【０００５】
【非特許文献１】３ＧＰＰ  ＴＲ  ２３．８９６  Ｖ０．１．０    （２０１２−７−２７）
【発明の概要】
【発明が解決しようとする課題】
【０００６】
３ＧＰＰの規定では、ポリシー制御装置（ＰＣＲＦ：Ｐｏｌｉｃｙ ａｎｄ Ｃｈａｒｇｉｎｇ Ｒｕｌｅ Ｆｕｎｃｔｉｏｎ）においてポリシーを決定する際、通信端末として考慮しているのは３ＧＰＰ規定の無線端末のみであった。しかし、固定系ネットワークを統合することにより、３ＧＰＰ規定の無線端末だけでなく、あらゆる種別の通信端末に対するポリシーを制御することになる。しかし前述のとおり３ＧＰＰ規定のポリシー制御フレームワークで想定しているのは、ＰＤＮ単位、サービス単位、あるいはアクセスネットワークの種別に基づくポリシー制御であり、あらゆる種別の通信端末を対象としたポリシー制御を行うことが想定されていない。
【０００７】
そのため、３ＧＰＰ規定のポリシー制御フレームワークでポリシー制御を行う場合、通信端末の種別に関わらず、同じポリシーを適用することになる。その結果、必要以上のリソースが通信端末に割り当てられていてもこれを通信端末種別ごとに制御する手段がない。そのため、短時間に多数のあらゆる種別の通信端末が一部のサービスを利用する場合や、アクセス網内の通信設備の障害復旧直後に多数のあらゆる種別の通信端末から接続要求処理をゲートウェイが受信する際、特定のポリシー制御装置にアクセスが集中し輻輳が発生する。
【０００８】
また、通信端末の中には、通信端末自体が移動性を持たず、常に固定アクセスネットワークを経由してＰＤＮに接続するものも存在する。一方、移動性を持つ通信端末は、移動中は無線アクセスネットワーク経由でＰＤＮに接続し、自宅やオフィスなどでは固定アクセスネットワーク経由でＰＤＮに接続するというように、アクセスネットワーク間を行き来している。アクセスネットワークの種別に基づくポリシー制御では、通信端末がアクセスネットワーク間を行き来する度に、ポリシーを設定し直す必要がある。
【０００９】
本発明は、３ＧＰＰ規定の無線端末だけでなく、あらゆる種別の通信端末がポリシー制御の対象となるような通信システムにおいても、最適なリソース割り当て管理や柔軟な通信設備運用とサービス提供ができるようにすることを目的とする。
【課題を解決するための手段】
【００１０】
上記課題を解決するために、本発明は、複数の種別の異なる通信端末と、固定または無線アクセス網を介して通信端末とパケットデータネットワークを接続するゲートウェイと、ゲートウェイおよびパケットデータネットワークと接続され、通信端末とパケットデータネットワークとの通信のポリシー制御を行う複数のポリシー制御装置を備える通信システムであって、通信端末が、新規接続時のシグナリングに通信端末種別情報を含めてゲートウェイに送信するようにし、ゲートウェイは、通信端末種別とポリシー制御装置を対応付けたポリシー制御装置選択テーブルに基づき、通信端末のポリシー制御を行うポリシー制御装置を選択して選択したポリシー制御装置に対し新規接続時のシグナリングを送信し、選択されたポリシー制御装置は、新規接続時のシグナリングに含まれている端末種別情報に基づき通信端末とパケットデータネットワークとの通信のポリシー情報を決定するようにしたものである。
【発明の効果】
【００１１】
本発明によれば、あらゆる種別の通信端末がポリシー制御の対象となるような通信システムにおいても、最適なリソース割り当て管理や柔軟な通信設備運用とサービス提供ができるようにすることが可能となる。
【図面の簡単な説明】
【００１２】
【図１】本発明を適用するネットワーク構成の一例を示す図である。
【図２】無線アクセス網から通信端末が新規接続する場合のコールフローの一例を示す図である。
【図３】通信端末のブロック構成の一例を示す図である。
【図４】ゲートウェイのブロック構成の一例を示す図である。
【図５】ＰＣＲＦのブロック構成の一例を示す図である。
【図６】ゲートウェイにおける処理を説明するフローチャートである。
【図７】ＰＣＲＦにおける処理を説明するフローチャートである。
【図８】ゲートウェイの記憶部に設定される情報の一例を示す図である。
【図９】ＰＣＲＦの記憶部に設定される情報の一例を示す図である。
【図１０】ポリシー管理テーブルの一例を示す図である。
【図１１】ＱｏＳ情報管理テーブルの一例を示す図である。
【図１２】課金情報管理テーブルの一例を示す図である。
【図１３】ＰＣＲＦ選択テーブルの一例を示す図である。
【図１４】接続中セッション管理テーブルの一例を示す図である。
【図１５】接続中セッション管理テーブルの一例を示す図である。
【図１６】固定アクセス網から通信端末が新規接続する場合のコールフローの一例を示す図である。
【発明を実施するための形態】
【００１３】
図１にネットワーク構成の一例を示す。
図１に示すネットワークは、複数の通信端末１０１ａ〜ｄと、マクロ基地局等（図示せず）を含む無線アクセス網１０２と、無線ＬＡＮ基地局と有線ＬＡＮ等（図示せず）を含む固定アクセス網１０３と、無線アクセス網１０２とＰＤＮ１０６を接続するゲートウェイ１０４ａと、固定アクセス網１０３とＰＤＮ１０６を接続するゲートウェイ１０４ｂと、ポリシー情報のデータベースを持つ複数のポリシー制御装置（ＰＣＲＦ：Ｐｏｌｉｃｙ ａｎｄ Ｃｈａｒｇｉｎｇ Ｒｕｌｅ Ｆｕｎｃｔｉｏｎ）１０５a、１０５ｂ…と、外部ＩＰネットワークであるＰＤＮ１０６を備える。ゲートウェイ１０４ａ、１０４ｂは、ＰＣＲＦ１０５が保持するポリシー情報データベースを使用するか否かを判断する。ゲートウェイ１０４がＰＣＲＦ１０５が保持するポリシー情報データベースを使用すると判断した場合、ゲートウェイ１０４ａ、１０４ｂはＰＣＲＦ１０５からポリシー情報を取得する。ゲートウェイ１０４ａ、１０４ｂがＰＣＲＦ１０５が保持するポリシー情報データベースを使用しないと判断した場合、ゲートウェイ１０４ａ、１０４ｂは自身が保持するポリシー情報を使用する。
【００１４】
背景技術で説明したように、３ＧＰＰに規定されたポリシー制御フレームワークが想定しているのは、ＰＤＮ単位、サービス単位、あるいはアクセスネットワークの種別に基づくポリシー制御である。３ＧＰＰに規定されたポリシー制御のフレームワークでは、通信端末種別に基づくポリシー制御は想定していない。さらに、無線アクセス網１０２または固定アクセス網１０３経由でＰＤＮ１０６に接続するあらゆる種別の通信端末をポリシー制御の対象とすることは想定していない。以下に説明する本発明においては、あらゆる種別の通信端末がるような通信システムにおいても、最適なリソース割り当てや、柔軟な通信設備運用、サービス提供ができるようにするために、通信端末種別毎にポリシー制御を実現するための構成を説明する。
【００１５】
通信端末種別毎のポリシー制御の具体例としては、オペレータは、ポリシー情報データベースの負荷分散などのために、スマートフォンからの接続に対するポリシー情報はＰＣＲＦで保持し、スマートテレビからの接続に対するポリシー情報はゲートウェイで保持しておく。そして、通信端末の新規接続時に、ゲートウェイが通信端末の種別を考慮して、ＰＣＲＦが保持するポリシー情報データベースを使用するか否かを判定する。
【００１６】
以下、具体的な実施例を挙げて説明する。
【実施例１】
【００１７】
[新規接続：無線アクセス網からの接続の一例]
図２に、無線アクセス網から通信端末が新規接続する場合のコールフローの一例を示す。
通信端末１０１は、新規接続のためのシグナリング２０１を、無線アクセス網１０２を経由してゲートウェイ１０４に送信する。この新規接続のためのシグナリング２０１には、通常、ユーザ識別子（ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）＃１）、サービス識別子（ＡＰＮ＃１）が含まれる。本実施例においては、さらに、通信端末種別（図２の例ではスマートフォン）をシグナリング２０１に含めてゲートウェイ１０４へ送信することを特徴とする。シグナリング２０１に含める通信端末種別としては、ＩＰネットワークに接続する全ての通信端末種別を設定できるようにする。
【００１８】
ゲートウェイ１０４は、シグナリング２０１を受信すると、図６に示す処理を行う（詳細は後述）。例えば、ゲートウェイ１０４は、シグナリング２０１に含まれる情報により、ＰＣＲＦ１０５が保持するポリシー情報データベースを使用するか否かを判断する。
ゲートウェイ１０４がＰＣＲＦ１０５が保持するポリシー情報データベースを使用すると判断した場合には、アクセスするＰＣＲＦ１０５のＩＰアドレスをＰＣＲＦ選択テーブル（図１３）から取得する。ゲートウェイ１０４は、ＩＰアドレスを取得したＰＣＲＦ１０５aへシグナリング２０１を送信する。
ＰＣＲＦ１０５が保持するポリシー情報データベースを使用しないと判断した場合、ゲートウェイ１０４ａは、ポリシー管理テーブル（図１０）、ＱｏＳ情報管理テーブル（図１１）、課金情報管理テーブル（図１２）を使用して適用するポリシー情報を決定し、図１４に示すような接続中セッション管理テーブルを作成する。その後、ゲートウェイ１０４ａは決定したポリシー情報をシグナリング２０２に含め、通信端末１０１に送信する。
【００１９】
ゲートウェイ１０４ａがＰＣＲＦ１０５が保持するポリシー情報データベースを使用すると判断し、ゲートウェイ１０４ａからシグナリング２０１を受信すると、ＰＣＲＦ１０５は図７に示す処理を行う（詳細は後述。）。例えば、ＰＣＲＦ１０５はシグナリング２０１に含まれる情報により、ポリシー管理テーブル図１０、ＱｏＳ情報管理テーブル図１１、課金情報管理テーブル図１２を使用して適用するポリシー情報を決定し、図１５のような接続中セッション管理テーブルを作成する。その後、ＰＣＲＦ１０５は決定したポリシー情報をシグナリング２０２に含め、ゲートウェイ１０４aに送信する。
ゲートウェイ１０４ａはシグナリング２０２を受信すると、図６に示す処理を行う（詳細は後述。）。例えば、ゲートウェイ１０４aはシグナリング２０２に含まれるポリシー情報から図１４のような接続中セッション管理テーブルを作成する。その後、ゲートウェイ１０４aはポリシー情報をシグナリング２０２に含め、通信端末１０１に送信する。
【００２０】
[通信端末のブロック構成の一例]
図３に、通信端末のブロック構成の一例を示す。
ネットワークＩＦ４０１は、無線アクセス網とのネットワークインタフェースである。ネットワークＩＦ４０２は、固定アクセス網とのネットワークインタフェースである。記憶部４０３は無線アクセス網または固定アクセス網を介してサービスを受けるために必要な情報を記憶する。本実施例に関連する情報としては、少なくともユーザ識別子（ＩＭＳＩ）、サービス識別子（ＡＰＮ）、通信端末種別を示す情報を保持する。制御部４０４は通信端末の各部および通信端末が行うデータやシグナリングの送受信を制御する。
ただし、ネットワークＩＦ４０１とネットワークＩＦ４０２は通信端末種別によってどちらか一方のみ具備してもよい。例えば、スマートフォンではネットワークＩＦ４０１のみでもよい。
【００２１】
[ゲートウェイのブロック構成の一例]
図４に、ゲートウェイのブロック構成の一例を示す。
ネットワークＩＦ５０１は、ＰＤＮ等のコアネットワークとのネットワークインタフェースである。ネットワークＩＦ５０２は、無線および固定を含むアクセス網とのネットワークインタフェースである。ネットワークＩＦ５０３は、ＰＣＲＦとのネットワークインタフェースである。記憶部５０４は、例えばポリシー管理テーブル（図１０）、ＱｏＳ情報管理テーブル（図１１）、課金情報管理テーブル（図１２）、接続中セッション管理テーブル（図１４）を保持する。制御部５０５は、ゲートウェイ各部の制御および無線および固定アクセス網とＰＣＲＦまたはコアネットワーク間の通信の制御を行う。
ネットワークＩＦ５０２は、無線アクセス網からの信号を受信するインタフェースと固定アクセス網からの信号を受信するインタフェースを分けてもよい。
【００２２】
[ＰＣＲＦのブロック構成の一例]
図５に、ＰＣＲＦのブロック構成の一例を示す。
ネットワークＩＦ６０１は、ＰＤＮ等のコアネットワークとのネットワークインタフェースである。ネットワークＩＦ６０２は、ゲートウェイとのネットワークインタフェースである。記憶部６０３は、例えばポリシー管理テーブル（図１０）、ＱｏＳ情報管理テーブル（図１１）、課金情報管理テーブル（図１２）、接続中セッション管理テーブル（図１５）を保持する。制御部６０４は、ＰＣＲＦ各部の制御およびゲートウェイとコアネットワーク間の通信の制御を行う。
【００２３】
［ゲートウェイにおける処理］
図６は、ゲートウェイの制御部の処理を説明するフローチャートである。
ゲートウェイの制御部は、ステップ５０５１にて通信端末から新規接続のためのシグナリング２０１を受信すると、ステップ５０５２、ステップ５０５３にてステップ５０５１で取得したＡＰＮ（Ａｃｃｅｓｓ  Ｐｏｉｎｔ  Ｎａｍｅ）＃１、および通信端末種別を使用して、図１３のＰＣＲＦ選択テーブルから、ＰＣＲＦが保持するポリシー情報データベースを使用する（ＰＣＲＦ連携を行う）か否かを判断する。
【００２４】
ゲートウェイがＰＣＲＦ連携を行う場合、接続先のＰＣＲＦのＩＰアドレスを決定し、ステップ５０５４にてＰＣＲＦへシグナリング２０１を送信する。その後ステップ５０５５にてＰＣＲＦからシグナリング２０２を受信し、ステップ５０５７にてステップ５０５５で受信したユーザ識別子ＩＭＳＩ＃１、ＡＰＮ＃１、通信端末種別、およびポリシー情報に基づき図１４に示すセッション管理テーブルを更新する。そして、ステップ５０５８にてシグナリング２０２を通信端末へ送信する。
【００２５】
ゲートウェイが、ＰＣＲＦが保持するポリシー情報データベースを使用せず、ゲートウェイ自信が有するポリシー情報データベースを使用する（ＰＣＲＦ連携を行わない）場合、ステップ５０５６にてＡＰＮ＃１、通信端末種別を使用して、ポリシー管理テーブル（図１０）、ＱｏＳ情報管理テーブル（図１１）、課金情報管理テーブル（図１２）に基づきポリシーを決定する。その後、ゲートウェイは、ステップ５０５７にてステップ５０５１で受信したＩＭＳＩ＃１、ＡＰＮ＃１、通信端末種別、およびポリシー情報から図１４に示す接続中セッション管理テーブルを更新する。ゲートウェイは、ステップ５０５８にて上記ＩＭＳＩ＃１、ＡＰＮ＃１、通信端末種別、およびポリシー情報を含めたシグナリング２０２またはシグナリング３０２を通信端末へ送信する。
【００２６】
［ＰＣＲＦ制御部処理フローチャートの一例］
図７に、ＰＣＲＦの制御部の処理を説明するフローチャートを示す。
ＰＣＲＦの制御部は、ステップ６０４１にて通信端末からシグナリング２０１を受信すると、ステップ６０４１にてＡＰＮ＃１、通信端末種別を使用して、ポリシー管理テーブル（図１０）、ＱｏＳ情報管理テーブル（図１１）、課金情報管理テーブル（図１２）に基づきポリシーを決定する。その後ステップ６０４３にてステップ６０４１で受信したＩＭＳＩ＃１、ＡＰＮ＃１、通信端末種別、およびポリシー情報から図１５に示すセッション管理テーブルを更新する。ステップ６０４４にて上記ＩＭＳＩ＃１、ＡＰＮ＃１、通信端末種別、およびポリシー情報を含めたシグナリング２０２を通信端末へ送信する。
【００２７】
[ゲートウェイ記憶部に設定される情報の一例]
図８に、ゲートウェイの記憶部に設定される情報の一例を示す。
ゲートウェイの記憶部は、ＰＣＲＦ選択テーブル（５０４１）、ポリシー管理テーブル（５０４２）、ＱｏＳ情報管理テーブル（５０４３）、課金情報管理テーブル（５０４４）、接続中セッション管理テーブル（５０４５）を保持する。
ただし、ポリシー管理テーブル（５０４２）、ＱｏＳ情報管理テーブル（５０４３）、課金情報管理テーブル（５０４４）は、前記図６のとおりＰＣＲＦ連携をする場合は、
ゲートウェイが保持しなくてもよい。
【００２８】
[ＰＣＲＦ記憶部に設定される情報の一例]
図９に、ＰＣＲＦの記憶部に設定される情報の一例を示す。
ＰＣＲＦの記憶部は、ポリシー管理テーブル（６０３１）、ＱｏＳ情報管理テーブル（６０３２）、課金情報管理テーブル（６０３３）、接続中セッション管理テーブル（６０３４）を保持する。
【００２９】
[ポリシー管理テーブルの一例]
図１０に、ポリシー管理テーブルの一例を示す。
ポリシーは、ＱｏＳポリシー、セキュリティポリシー、課金ポリシー、サービスポリシーの少なくとも１つを含むものである。例えば、ポリシー管理テーブルは、ＡＰＮ等サービスを識別するサービス識別子、スマートフォン、パソコン、スマートテレビ等を示す通信端末種別、図１１のＱｏＳ情報管理テーブルからＱｏＳ情報を検索するために使用するＱｏＳＩＤ、図１２の課金情報管理テーブルから課金情報を検索するために使用する課金ＩＤ等から構成される。
ポリシー管理テーブルは、ゲートウェイの記憶部、またはＰＣＲＦの記憶部、またはその両方に保持してもよい。
【００３０】
[ＱｏＳ情報管理テーブルの一例]
図１１に、ＱｏＳ情報管理テーブルの一例を示す。
ＱｏＳ情報管理テーブルは、テーブルインデックスとなるＱｏＳＩＤ、ＱｏＳのクラスを指定するＱＣＩ（ＱｏＳ  Ｃｌａｓｓ  Ｉｄｅｎｔｉｆｉｅｒ）、許容する最大帯域の値、許容する保証帯域等から構成される。
ＱｏＳ情報管理テーブルは、ゲートウェイの記憶部、またはＰＣＲＦの記憶部、またはその両方に保持してもよい。
【００３１】
[課金情報管理テーブルの一例]
図１２に、課金情報管理テーブルの一例を示す。
課金情報管理テーブルは、テーブルインデックスとなる課金ＩＤ、課金の実施有無、バイト数等従量課金や時間課金を示す課金方式等から構成される。
課金情報管理テーブルは、ゲートウェイの記憶部、またはＰＣＲＦの記憶部、またはその両方に保持してもよい。
【００３２】
[ＰＣＲＦ選択テーブルの一例]
図１３に、ＰＣＲＦ選択テーブルの一例を示す。
ＰＣＲＦ選択テーブルは、ＡＰＮ等サービスを識別するサービス識別子、スマートフォン、パソコン、スマートテレビ等を示す通信端末種別にＰＣＲＦ連携の有無、ＰＣＲＦ連携有の場合に接続するＰＣＲＦのＩＰアドレス等から構成される。ＰＣＲＦ連携有の場合に接続するＰＣＲＦのＩＰアドレスは、複数保持していてもよい。
【００３３】
[ゲートウェイ記憶部の接続中セッション管理テーブルの一例]
図１４に、ゲートウェイの記憶部に保持する接続中セッション管理テーブルの一例を示す。ゲートウェイ記憶部の接続中セッション管理テーブルは、前記実施例１、２のとおり、シグナリング２０１およびシグナリング３０１で受信したユーザ識別子、サービス識別子、通信端末種別と、図６のフローチャートで決定したＰＣＲＦ  ＩＰアドレスと、図６のフローチャート、またはシグナリング２０２およびシグナリング３０２で受信したＱＣＩ、最大帯域、保証帯域、課金方式等から構成される。
【００３４】
[ＰＣＲＦ記憶部の接続中セッション管理テーブルの一例]
図１５に、ＰＣＲＦの記憶部に保持する接続中セッション管理テーブルの一例を示す。
ＰＣＲＦ記憶部の接続中セッション管理テーブルは、実施例に記載したとおり、シグナリング２０１で受信したユーザ識別子、サービス識別子、通信端末種別、送信元ＩＰアドレスであるゲートウェイＩＰアドレス、図７のフローチャート決定したＱＣＩ、最大帯域、保証帯域、課金方式等から構成される。等から構成される。
【００３５】
次に、通信端末が固定アクセス網から新規接続する場合について説明する。
[新規接続: 固定アクセス網からの接続の一例]
図１６に、通信端末が固定アクセス網から新規接続する場合のコールフローの一例を示す。
図１６に示すコールフローは、アクセス網の違いから、シグナリングそのものは図２に示した無線アクセス網からの新規接続の場合とは異なるため、各シグナリングには図２とは異なる符号を振っているが、内容的には図２の無線アクセス網からの新規接続と同様である。
【００３６】
通信端末１０１ｃは、ユーザ識別子（ＩＭＳＩ＃２）と、サービス識別子（ＡＰＮ＃１）と、通信端末種別（スマートテレビ）を設定した新規接続のためのシグナリング３０１をゲートウェイ１０４ｂへ送信する。
ゲートウェイ１０４ｂは、新規接続のためのシグナリング３０１を受信すると、実施例１と同様に図６で説明した処理を行う。すなわち、ゲートウェイ１０４ｂはシグナリング３０１に含まれる前記情報により、ＰＣＲＦ１０５が保持するポリシー情報データベースを使用するか否かを判断する。およびＰＣＲＦ１０５が保持するポリシー情報データベースを使用する際にアクセスするＰＣＲＦ１０５のＩＰアドレスをＰＣＲＦ選択テーブル（図１３）を使用して判断する。ゲートウェイ１０４ｂは、ＰＣＲＦ１０５が保持するポリシー情報データベースを使用すると判断し、ＰＣＲＦ１０５にアクセスする場合、ＰＣＲＦ１０５へシグナリング３０１を送信する。ゲートウェイ１０４ｂは、ＰＣＲＦ１０５が保持するポリシー情報データベースを使用しない場合、ポリシー管理テーブル（図１０）、ＱｏＳ情報管理テーブル（図１１）、課金情報管理テーブル（図１２）を使用して適用するポリシー情報を決定し図１４のような接続中セッション管理テーブルを作成する。その後、ゲートウェイ１０４ｂは決定したポリシー情報をシグナリング３０２に含め、通信端末１０１に送信する。
【００３７】
ＰＣＲＦ１０５はシグナリング３０１を受信すると、図７で説明した処理を行う。例えば、ＰＣＲＦ１０５は前記シグナリング３０１に含まれる情報により、ポリシー管理テーブル（図１０）、ＱｏＳ情報管理テーブル（図１１）、課金情報管理テーブル（図１２）を使用して適用するポリシー情報を決定する。その後、ＰＣＲＦ１０５は決定したポリシー情報をシグナリング３０２に含め、ゲートウェイ１０４ｂに送信する。
【００３８】
ゲートウェイ１０４ｂは前記シグナリング３０２を受信すると、図６で説明した処理を行う。ゲートウェイ１０４ｂは前記シグナリング３０２に含まれるポリシー情報から図１３のようなテーブルを作成する。その後、ゲートウェイ１０４ｂはポリシー情報をシグナリング３０２に含め、通信端末１０１に送信する。
【００３９】
以上説明したように、本発明により、ポリシー制御が統合された無線アクセス網と固定アクセス網を含む通信システムにおいて、通信端末種別毎（スマートフォン、PC、スマートテレビ等）に、ポリシー制御が可能となる。
また、本発明により、上記通信システムにおいて、通信端末種別毎（スマートフォン、PC、スマートテレビ等）に、ポリシーの適用が可能になり、オペレータは最適なリソース割当管理を行うことが可能となり柔軟な通信設備運用とサービス提供が可能になる。
また、本発明により、上記通信システムにおいて、通信端末種別毎（スマートフォン、PC、スマートテレビ等）に、ゲートウェイがＰＣＲＦが保持するポリシー情報データベースを使用するか否かを判定可能となる。
また、本発明により、上記通信システムにおいて、通信端末種別毎（スマートフォン、PC、スマートテレビ等）に、ゲートウェイが使用するＰＣＲＦの負荷分散が可能になり、オペレータによるＰＣＲＦの収容設計を柔軟に行うことが可能になる。
【符号の説明】
【００４０】
１０１    通信端末
１０２    無線アクセス網
１０３    固定アクセス網
１０４    ゲートウェイ
１０５    ＰＣＲＦ（Ｐｏｌｉｃｙ ａｎｄ Ｃｈａｒｇｉｎｇ Ｒｕｌｅ Ｆｕｎｃｔｉｏｎ）
１０６    ＰＤＮ（Ｐａｃｋｅｔ Ｄａｔａ Ｎｅｔｗｏｒｋ）
４０１    通信端末のネットワークＩＦ
４０２    通信端末のネットワークＩＦ
４０３    通信端末の記憶部
４０４    通信端末の制御部
５０１    ゲートウェイのネットワークＩＦ
５０２    ゲートウェイのネットワークＩＦ
５０３    ゲートウェイのネットワークＩＦ
５０４    ゲートウェイの記憶部
５０５    ゲートウェイの制御部
６０１    ＰＣＲＦのネットワークＩＦ
６０２    ＰＣＲＦのネットワークＩＦ
６０３    ＰＣＲＦの記憶部
６０４    ＰＣＲＦの制御部
【図１】
2014204298.tif 000003
【図２】
2014204298.tif 000004
【図３】
2014204298.tif 000005
【図４】
2014204298.tif 000006
【図５】
2014204298.tif 000007
【図６】
2014204298.tif 000008
【図７】
2014204298.tif 000009
【図８】
2014204298.tif 000010
【図９】
2014204298.tif 000011
【図１０】
2014204298.tif 000012
【図１１】
2014204298.tif 000013
【図１２】
2014204298.tif 000014
【図１３】
2014204298.tif 000015
【図１４】
2014204298.tif 000016
【図１５】
2014204298.tif 000017
【図１６】
2014204298.tif 000018